(57)【要約】  上縁部（１１）を備えたインフレート可能なカーテン（１）の形態のエアバッグが、開示され、上縁部（１１）は、この上縁部を自動車に取り付ける取付けタブ（１２）を備えている。エアバッグの上縁部（１１）は、上縁部（１１）の端部相互間の位置にガス入口喉部（１０）を更に備えている。ガス入口喉部（１０）は、細長いガス発生器の端部を受け入れるよう形作られ、エアバッグの上縁部（１１）は、ガス発生器の一部に係合するループの形態をしたガス発生器リテーナ（１６）を備えている。
2006528925.tif 000002
【特許請求の範囲】
【請求項１】
膨張可能なカーテンの形態のエアバッグであって、
前記膨張可能なカーテンは、取付けタブを備えた上縁部を有し、前記取付けタブは、前記上縁部を自動車に取り付け、
前記上縁部は、その両端の中間の箇所に、細長いガス発生器の端部を受け入れるように形作られたガス入口スロートを備え、
前記エアバッグの前記上縁部には、前記ガス発生器の一部に係合するガス発生器リテーナが設けられている、
エアバッグ。
【請求項２】
前記ガス発生器リテーナがループの形態をしている、請求項１記載のエアバッグ。
【請求項３】
前記ループは、前記膨張可能なカーテンの前記上縁部を越えて延びるファブリックの突出タブであり、前記タブが孔を備えている、請求項２記載のエアバッグ。
【請求項４】
前記タブはファブリックの２つの重ね合わされた層のものである、請求項３記載のエアバッグ。
【請求項５】
前記ファブリック層の縁部が互いに溶接されている、請求項４記載のエアバッグ。
【請求項６】
ガス発生器と組み合わされ、前記ループは、前記ガス発生器の周りに受け入れられるよう寸法形状決めされている、請求項２〜５のいずれか一項に記載のエアバッグ。
【請求項７】
前記ガス発生器が円筒形ハウジングを有し、または、前記発生器が円筒形ハウジングによって包囲され、
前記ループは、前記円筒形ハウジングに係合するが、前記円筒形ハウジングに対して軸方向に運動できる、
請求項６記載の組合せ。
【発明の詳細な説明】
【技術分野】
【０００１】
本発明は、エアバッグに関し、特に、インフレート(膨張)可能なカーテンの形態をしたエアバッグに関する。
【背景技術】
【０００２】
インフレート可能なカーテンの形態をしたエアバッグを提供することが提案された。エアバッグは当初、ドアの上方の位置で自動車のルーフ内に取り付けられ、適当なセンサからの信号に応答して、インフレートされて、自動車の乗員と自動車の側面ガラスとの間に延びるカーテンを形成する。
【０００３】
インフレート可能なカーテンについて種々の設計が提案され、幾つかの設計においては、ガス発生器は、エアバッグの上縁部の端部相互間の中間の位置に設けられた入口に連結される。ガス入口は、実質的に中央に設けられ又はエアバッグの中心から僅かにずれた状態で位置決めされる場合がある。しかしながら、エアバッグの上縁部の中間領域に入口を設けることにより、上述の信号に応答してエアバッグの素早いインフレーションが容易になる。
【０００４】
幾つかの先行技術において提案された装置では、エアバッグのガス入口は、実質的に“Ｌ”字形スロート、すなわち、喉部の形態をしており、この喉部は、全体として円筒形のガス発生器の端部を受け入れることができる。ガス発生器は、その端部のところに設けられたデフレクタ（逸らせ板）を備えるのがよく、このデフレクタは、ガスがエアバッグのインフレート可能な部分内へ下方に流れるようにガスを逸らせる。
【発明の開示】
【発明が解決しようとする課題】
【０００５】
ガス発生器がこの種の入口喉部に取り付けられているとき、ガス入口の開口部とインフレート可能なカーテンの周囲との間にはギャップが存在する。エアバッグの展開中、大きな荷重がこのギャップを構成するインフレート可能なカーテンの部分に加えられることが判明した。この場合、インフレート可能なカーテンは理想的には、上述の信号の受信に続き非常に短い期間内にインフレートされるべきであり、インフレート可能なカーテンに用いられることが意図された典型的なガス発生器は、非常に強力なガスの流れを発生させることは理解されるべきである。
本発明は、改良型エアバッグを提供しようとするものである。
【課題を解決するための手段】
【０００６】
したがって、本発明は、インフレート可能なカーテンの形態をしたエアバッグであって、前記インフレート可能なカーテンは、取付けタブを備えた上縁部を有し、前記取付けタブは、前記上縁部を自動車に取り付け、前記上縁部は、その端部の中間の箇所に、細長いガス発生器の端部を受け入れるよう形作られたガス入口喉部を更に備え、前記エアバッグの前記上縁部は、前記ガス発生器の一部に係合するガス発生器リテーナを備えていることを特徴とするエアバッグを提供する。
【０００７】
好ましくは、前記ガス発生器リテーナは、ループの形態をしている。
好ましくは、前記ループは、前記インフレート可能なカーテンの前記上縁部を越えて延びるファブリックの突出タブであり、前記タブは、孔を備えている。
有利には、前記タブは、ファブリックの２つの重ね合わされた層のものである。
好都合には、前記ファブリック層の縁部は、互いに溶接されている。
有利には、エアバッグは、ガス発生器と組み合わされ、前記ループは、前記ガス発生器の周りに受け入れられるよう寸法決めされている。
好都合には、前記ガス発生器は、円筒形ハウジングを有し又は前記発生器は、円筒形ハウジングによって包囲され、前記ループは、前記円筒形ハウジングに係合するが、前記円筒形ハウジングに対しては軸方向に運動できる。
【発明を実施するための最良の形態】
【０００８】
本発明を理解しやすくするため及びその別の特徴を理解できるようにするため、添付の図面を参照して例示として本発明の実施形態を以下に説明する。
【０００９】
最初に添付の図面の図１を参照すると、インフレート可能なカーテンの形態をしたエアバッグ１が、全体として矩形の形態のものである。エアバッグは、以下に説明する継目により相互に連結された２つの重なり合うファブリック層で作られている。継目は、ステッチドシームであるのがよいが、好ましくは、継目は、当該技術分野において知られているように一体形織成法でエアバッグと一体に形成される。
【００１０】
エアバッグ１は、継目４により複数のインフレート可能なセル３に分割された第１のインフレート可能な領域２を有している。インフレート可能領域２は、インフレート不能な領域５によって第２のインフレート可能な領域６から分離されている。第２のインフレート可能領域６は、シーム７によって細分されている。インフレート可能領域は、周囲継目８によって包囲され、この周囲継目は、２つのファブリック層を互いに接合してエアバッグを形成している。ファブリック層の僅かな部分が、シーム１０を越えて延びている。
【００１１】
ガスフローダクト９が、第２のインフレート可能領域６の上方部分からインフレート不能領域５の頂部を横切って延び、第１のインフレート可能領域２の上方部分内へ延びている。第１のインフレート可能領域２は、“Ｌ”字形ガス入口喉部１０を備え、このガス入口喉部は、インフレート可能カーテンの最も上の縁部１１の上方に上に延びている。
【００１２】
インフレート可能カーテンの最上縁部１１は、複数の互いに間隔を置いた取付けタブ１２を備えており、これら取付けタブは、インフレート可能カーテンが自動車内に設けられると、自動車内に設けられた適当なマウントに係合する。インフレート可能カーテンの一方の側縁部は、テザー又はストラップ１４が取り付けられた突出ラグ１３を備えている。
【００１３】
入口喉部１０は、円筒形入口部分１５を構成し、この円筒形入口部分は、インフレート可能カーテンの最上縁部１１と平行に延びる軸線を持つ円筒形ガス発生器（分かりやすくするために図１には示さず）の終端部を受け入れるよう形作られている。インフレート可能カーテンの最上縁部１１は、ガス発生器リテーナループ１６と一体に設けられ、このループは、円筒形ガス発生器をその端部相互間の中間の箇所で包囲してインフレート可能カーテンをガス発生器に対して保持するようになったループである。ループ１６は、周囲継目８を越えて延びるファブリック層の２つの突出部１７で作られている。継目８は、突出部のベースのところで強度が増すよう拡大される（１８）のがよい。突出部の自由端部は、別の継目１９によって相互に連結されている。周囲継目８と別の継目１９との間の２つのファブリック層を互いに分離してループ１６を形成するのがよい。
【００１４】
変形実施形態では、ガス発生器リテーナループは、縫合又は任意適当な手段によりエアバッグの上縁部１１に取り付けられた別個のループであってもよい。
【００１５】
ガス発生器それ自体は、自動車内に設けられたマウントに固定され、ガス発生器リテーナループ１６を設けたことは、ガス発生器とインフレート可能カーテンの組合せの一体性を維持するのを助ける。追加のリテーナとしてループを設けることにより、追加のマウントを自動車内に設ける必要性がなくなるが、かかるループを設けたことは、エアバッグを再強化するのに役立つ。ループはエアバッグの展開中、ガス発生器に沿って僅かに動き、これは、生じるかもしれない力を吸収するのに役立つ場合のあることが考えられる。
【００１６】
図２は、本発明の改造型実施形態を示している。図２の実施形態はこの場合も又、インフレート可能なカーテンの形態をしたエアバッグであり、このインフレート可能カーテンは、継目により相互に連結された２つのファブリック層で作られている。図２では、エアバッグの上縁部２０だけが示されているが、上縁部２０に隣接して延びるガスダクト２１の部分及びインフレート不能な領域２２の部分並びにインフレート可能領域の一部をなす継目２５により分離された２つのセル２３，２４を見ることができる。エアバッグは、周囲継目２６を有している。
【００１７】
エアバッグの上縁部２０は、２つの互いに間隔を置いた取付けタブ２６，２７を備え、これら取付けタブは、実質的に“Ｌ”字形のガス入口喉部２８の互いに反対側の側部に設けられている。ガス入口喉部２８は、円筒形の形態のものであるガス発生器の端部３０を受け入れる円筒形終端部分２９を有している。ガス発生器は、図示の実施形態では、喉部２９内に設けられていて、ガスをインフレート可能領域内へ下方に且つガスフローダクト２１に沿って逸らすガスデフレクタ３１を備えている。
【００１８】
取付けラグ２７と入口喉部２８との間にはループ３２の形態をしたガス発生器リテーナが設けられ、このループ３２は、エアバッグのファブリックと一体に形成されている。このループは、エアバッグの上縁部２０を越えて延びる突出部から成る。突出部においては、２つのファブリック層が互いに縫合され、又は、好ましい一体形織成法が用いられる場合又は互いに織成されてその縁部のところ、例えば縁部３３のところに強固な突出タブを形成する場合、２つの別々のファブリック層を識別することができる。ファブリック層が互いに織成され又は縫合されてループ３２を形成するタブの部分に穴３４が切断して設けられ又は形成されている。
【００１９】
リテーナループ３２は、円筒形ガス発生器３０を包囲して、入口喉部の付近のところのインフレート可能カーテンとガス発生器の組合せの一体性を維持するのに役立っている。
原文明細書において、“comprises”（「〜を有する」と訳している場合がある）という用語は、“includes又はconsists of”（〜を含む／〜から成る）を意味し、“comprising”という用語は、“including又はconsisting of”を意味している。
【００２０】
図３の実施形態では、エアバッグ４０が、取付けタブ、例えばタブ４２及び図２の実施形態のものと同等のＬ字形喉部（図示せず）を備えた上縁部４１を有している。周囲継目４３が、上縁部４１に平行に延びている。上縁部４１を越えて延びる重なり合ったファブリック層の部分は、ループ４４を形成するよう例えばレーザ切断により切断されている。ループは、同心状円形孔４６を備えた円形の形の突出タブ４５で効果的に形成される。ファブリックをレーザ切断すると、ファブリックの縁部を互いに熱溶接し、ガス発生器４７を受け入れる強固なループを生じさせる。
【図面の簡単な説明】
【００２１】
【図１】本発明のインフレート可能なカーテンの一形態の略図である。
【図２】本発明の第２の実施形態の部分的に想像線で示した拡大部分図である。
【図３】本発明の第３の実施形態の部分的に想像線で示した拡大部分図である。
【図１】
2006528925.tif 000003
【図２】
2006528925.tif 000004
【図３】
2006528925.tif 000005
【国際調査報告】
2006528925.tif 000006
2006528925.tif 000007